(57)【要約】【課題】デッドスペースを有効に利用することができる電子機器を提供する。【解決手段】第１支持体４１の前端には、平面４３内でハウジング１６の正面に平行な回転軸４７回りで回転自在に第２支持体４４が連結される。第１支持体４１は、ハウジング１６の正面から平面４３に平行にハウジング１６にスライド自在に差し込まれる。このとき、駆動機構の働きで、第２支持体４４は、第１支持体４１と同一の平面４３内に配置される基準姿勢から、第１支持体４１に所定の交差角αで交差する傾斜姿勢を変化させる。その結果、第２支持体４４はハウジング１６内のデッドスペースに配置される。第１支持体４１に加えて第２支持体４４は様々な用途に用いられる。デッドスペースは有効に利用される。【選択図】図４
2011081725.tif 000002
【特許請求の範囲】
【請求項１】
収容空間を区画するハウジングと、
前記ハウジングに対して所定の平面に平行に前記収容空間にスライド自在に差し込まれて、前記収容空間内に収容される第１支持体と、
前記平面内で前記ハウジングの正面に平行に規定される回転軸回りで回転自在に前記第１支持体に連結されて、前記第１支持体と同一平面内に配置される基準姿勢、および、前記第１支持体に所定の交差角で交差する傾斜姿勢の間で回転する第２支持体と、
前記収容空間への前記第１支持体の差し込みに基づき前記収容空間内で前記基準姿勢から前記傾斜姿勢に前記第２支持体の姿勢を変化させる駆動機構とを備えることを特徴とする電子機器。
【請求項２】
請求項１に記載の電子機器において、
前記駆動機構は、
前記回転軸に平行な軸心を規定しつつ前記第２支持体の側面から突き出る案内片と、
前記平面内で前記ハウジングの正面に配置される一端から前記収容空間内の前記第１支持体の前端より前記ハウジングの正面側に配置される他端まで延び、前記案内片の移動を案内する第１案内レールと、
前記収容空間内で前記第１案内レールの他端に一端で連結されて前記ハウジングの正面から背面に向かうにつれて前記平面から遠ざかりつつ他端まで延び、前記案内片の移動を案内する第２案内レールと、
前記収容空間内で前記第２案内レールの他端に一端で連結されて前記平面に直交する垂直方向に立ち上がり、前記案内片の移動を案内する第３案内レールとを備えることを特徴とする電子機器。
【請求項３】
請求項１または２に記載の電子機器において、前記収容空間内に配置されて前記ハウジングの背面に沿って広がり、前記第１支持体の前端を受け止めるバックパネルを備えることを特徴とする電子機器。
【請求項４】
請求項３に記載の電子機器において、
前記ハウジングの正面および背面の間で前記収容空間内に配置されて、前記バックパネルに平行に広がる補助パネルと、
前記ハウジングの正面から前記平面に平行に前記収容空間内にスライド自在に差し込まれて、前端で前記補助パネルに接続される記憶装置とを備えることを特徴とする電子機器。
【請求項５】
請求項４に記載の電子機器において、前記バックパネルと前記補助パネルとを接続する中継基板を備えることを特徴とする電子機器。
【請求項６】
収容空間を区画するハウジングと、
前記ハウジングに対して所定の平面に平行に前記収容空間内にスライド自在に差し込まれて、前記収容空間内に収容される第１基板と、
前記平面内で前記ハウジングの正面に平行に規定される回転軸回りで回転自在に前記第１基板に連結されて、前記第１基板と同一平面内に配置される基準姿勢、および、前記第１基板に所定の交差角で交差する傾斜姿勢の間で回転する第２基板と、
前記収容空間への前記第１基板の差し込みに基づき前記収容空間内で前記基準姿勢から前記傾斜姿勢に前記第２基板の姿勢を変化させる駆動機構とを備えることを特徴とする電子機器。
【発明の詳細な説明】
【技術分野】
【０００１】
本発明は、例えばサーバコンピュータ装置のラックに搭載される電子機器に関する。
【背景技術】
【０００２】
サーバコンピュータ装置のラックには例えばストレージブレードが搭載される。ストレージブレードのハウジングには正面から複数台のハードディスク駆動装置（ＨＤＤ）が並列に差し込まれる。ＨＤＤの前端は、ハウジング内でハウジングの正面に平行に直立する補助パネルに受け止められる。ハウジングにはＨＤＤの制御を実行する例えば２台の制御用ユニットがＨＤＤに並列に差し込まれる。各制御用ユニットは、前端にコネクタを配置する基板を備える。制御用ユニットが前端からハウジング内に差し込まれると、ハウジングの背面に平行に直立するバックパネルに基板のコネクタが受け止められる。バックパネルおよび補助パネルは中継基板で接続される。その結果、基板上に実装される電子回路素子の働きでＨＤＤの動作が制御される。
【先行技術文献】
【特許文献】
【０００３】
【特許文献１】特開平９−１７１８７４号公報
【特許文献２】特開２００８−４７０１９号公報
【発明の概要】
【発明が解決しようとする課題】
【０００４】
ストレージブレードは、サーバコンピュータ装置のラックに配置される大型のバックパネルに接続される。接続にあたって、ハウジング内のバックパネルに配置されるコネクタが用いられる。コネクタは大型のバックパネルに受け止められる。コネクタの配置にあたってハウジングには規定の奥行きが確保されなければならない。すなわち、ハウジングの奥行きはサーバコンピュータ装置のラックの奥行きに応じて決定される。その一方で、ハウジングの正面から規定されるＨＤＤの奥行きはハウジングの奥行きに比べて小さい。その結果、補助パネルの後方にはバックパネルとの間に比較的に大きなデッドスペースが形成されてしまう。
【０００５】
本発明は、上記実状に鑑みてなされたもので、デッドスペースを有効に利用することができる電子機器を提供することを目的とする。
【課題を解決するための手段】
【０００６】
上記目的を達成するために、電子機器の一具体例は、収容空間を区画するハウジングと、前記ハウジングに対して所定の平面に平行に前記収容空間にスライド自在に差し込まれて、前記収容空間内に収容される第１支持体と、前記平面内で前記ハウジングの正面に平行に規定される回転軸回りで回転自在に前記第１支持体に連結されて、前記第１支持体と同一平面内に配置される基準姿勢、および、前記第１支持体に所定の交差角で交差する傾斜姿勢の間で回転する第２支持体と、前記収容空間への前記第１支持体の差し込みに基づき前記収容空間内で前記基準姿勢から前記傾斜姿勢に前記第２支持体の姿勢を変化させる駆動機構とを備える。
【０００７】
上記目的を達成するために、電子機器の他の具体例は、収容空間を区画するハウジングと、前記ハウジングに対して所定の平面に平行に前記収容空間内にスライド自在に差し込まれて、前記収容空間内に収容される第１基板と、前記平面内で前記ハウジングの正面に平行に規定される回転軸回りで回転自在に前記第１基板に連結されて、前記第１基板と同一平面内に配置される基準姿勢、および、前記第１基板に所定の交差角で交差する傾斜姿勢の間で回転する第２基板と、前記収容空間への前記第１基板の差し込みに基づき前記収容空間内で前記基準姿勢から前記傾斜姿勢に前記第２基板の姿勢を変化させる駆動機構とを備える。
【発明の効果】
【０００８】
以上のように開示の電子機器によれば、デッドスペースを有効に利用することができる。
【図面の簡単な説明】
【０００９】
【図１】電子機器集合ユニットの一具体例すなわちサーバコンピュータ装置の外観を概略的に示す斜視図である。
【図２】サーバコンピュータ装置のラックから前方に電子機器が引き出された様子を概略的に示す斜視図である。
【図３】本発明の一実施形態に係る電子機器の構造を概略的に示す斜視図である。
【図４】本発明の一実施形態に係る電子機器の構造を概略的に示す透視斜視図である。
【図５】本発明の一実施形態に係る電子機器の構造を概略的に示す透視側面図である。
【図６】制御ボードユニットの構造を概略的に示す斜視図である。
【図７】記憶装置ユニットの構造を概略的に示す電子機器の部分拡大断面図である。
【図８】記憶装置ユニットの構造を概略的に示す電子機器の部分拡大断面図である。
【図９】記憶装置ユニットの構造を概略的に示す電子機器の部分拡大断面図である。
【図１０】電子機器のハウジングから制御ボードユニットを取り外す様子を概略的に示す透視側面図である。
【図１１】電子機器のハウジングから制御ボードユニットを取り外す様子を概略的に示す透視側面図である。
【図１２】電子機器のハウジングから制御ボードユニットを取り外す様子を概略的に示す透視斜視図である。
【図１３】電子機器のハウジングから制御ボードユニットを取り外す様子を概略的に示す透視側面図である。
【図１４】電子機器のハウジングから制御ボードユニットを取り外す様子を概略的に示す透視側面図である。
【図１５】電子機器のハウジングに制御ボードユニットを取り付ける様子を概略的に示す透視斜視図である。
【図１６】電子機器のハウジングに制御ボードユニットを取り付ける様子を概略的に示す透視側面図である。
【図１７】電子機器のハウジングに制御ボードユニットを取り付ける様子を概略的に示す透視側面図である。
【発明を実施するための形態】
【００１０】
以下、添付図面を参照しつつ本発明の一実施形態を説明する。
【００１１】
図１は電子機器集合ユニットの一具体例すなわちサーバコンピュータ装置１１の外観を概略的に示す。このサーバコンピュータ装置１１は、水平面に沿って広がる床面に配置されるラック１２を備える。ラック１２には複数台の電子機器１３が搭載される。電子機器１３は、例えば水平面に直交する垂直方向に長尺な箱形に形成される。電子機器１３には例えばサーバブレードやストレージブレードが含まれる。サーバブレード同士の間やサーバブレードおよびストレージブレードの間では様々なデータがやり取りされる。ストレージブレードは、サーバブレードから供給される指令に基づき動作する。こうしたサーバコンピュータ装置１１は例えばＲＡＩＤ（Redundant Arrays of Inexpensive Disks）に接続される。
【００１２】
図２を併せて参照し、ラック１２には電子機器１３を収容する収容棚１４が区画される。収容棚１４は水平面に沿って広がる。収容棚１４には例えばラック１２の前後方向に延びる案内部材（図示されず）が固定される。案内部材の働きで、垂直方向に広がるラック１２の正面から水平面に沿ってスライド自在に電子機器１３は出し入れされる。垂直方向に広がるラック１２の背面には後述のメインバックパネルが配置される。メインバックパネルはラック１２内に配置される。メインバックパネルは、ラック１２の正面に平行に垂直方向に直立する垂直姿勢で広がる。電子機器１３が収容棚１４に差し込まれると、電子機器１３の背面のコネクタはメインバックパネル上のコネクタに接続される。
【００１３】
図３に示されるように、ストレージブレードすなわち電子機器１３は箱形のハウジング１６を備える。ハウジング１６の背面は、ラック１２内に配置されるメインバックパネル１７に受け止められる。ハウジング１６の収容空間内には複数台の記憶装置ユニット１８が収容される。個々の記憶装置ユニット１８は水平面に沿って広がる水平姿勢を確立する。水平姿勢の記憶装置ユニット１８は鉛直方向に配列される。記憶装置ユニット１８は、ハウジング１６の正面に区画される差し込み口１９から水平面に沿ってスライド自在に収容空間に対して出し入れされる。記憶装置ユニット１８は、例えばハウジング１６の側壁１６ａ、１６ａの内壁面に固定される案内レール（図示されず）に案内される。側壁１６ａ、１６ａ同士は相互に平行に広がる。
【００１４】
ハウジング１６の収容空間内には、最上段の記憶装置ユニット１８の上側および最下段の記憶装置ユニット１８の下側にそれぞれ１台の制御ボードユニット２１が収容される。いずれか一方の制御ボードユニット２１が各ＨＤＤ２２の動作を個別に制御する。２台の制御ボードユニット２１に基づき冗長性が確保される。上側の制御ボードユニット２１はハウジング１６の天板１６ｂに沿って配置される。下側の制御ボードユニット２１はハウジング１６の底板１６ｃに沿って配置される。天板１６ｂおよび底板１６ｃは相互に平行に広がる。制御ボードユニット２１は、水平面に沿って広がる水平姿勢を確立する。制御ボードユニット２１はハウジング１６の差し込み口１９から水平面に沿ってスライド自在に収容空間に対して出し入れされる。
【００１５】
図４に示されるように、記憶装置ユニット１８は、記憶装置すなわちハードディスク駆動装置（ＨＤＤ）２２を備える。ＨＤＤ２２内で記憶媒体すなわち磁気ディスクの回転中心軸は、水平面に直交する垂直方向に規定される。記憶装置ユニット１８は、ＨＤＤ２２の後端に取り付けられるイジェクタユニット２３を備える。イジェクタユニット２３は例えば差し込み口１９内に配置される。ＨＤＤ２２の前端はハウジング１６内の補助パネルすなわちフロントパネル２４に受け止められる。フロントパネル２４は、ハウジング１６の正面に平行に垂直方向に直立する垂直姿勢を確立する。フロントパネル２４は例えば側壁１６ａ、１６ａに固定される。フロントパネル２４には例えば樹脂製基板が用いられる。図５を併せて参照し、ＨＤＤ２２の前端に配置されるコネクタ（図示されず）は、フロントパネル２４の表面に配置されるコネクタ２５に接続される。こうしてＨＤＤ２２はフロントパネル２４に接続される。
【００１６】
ハウジング１６の背面にはフロントパネル２４に平行に広がるバックパネル２６が配置される。バックパネル２６には例えば樹脂製基板が用いられる。フロントパネル２４およびバックパネル２６の間には所定の収容空間が区画される。バックパネル２６の背面には背面コネクタ２７が実装される。背面コネクタ２７は、サーバコンピュータ装置１１のメインバックパネル１７に実装されるコネクタ２８に接続される。フロントパネル２４およびバックパネル２６の間の収容空間には中継基板２９が配置される。中継基板２９には例えばフレキシブルプリント基板が用いられる。中継基板２９は側壁１６ａに平行に広がる。中継基板２９は天板１６ｂおよび底板１６ｃから等距離に配置される。中継基板２９は側壁１６ａ、１６ａから等距離に配置される。
【００１７】
図５から明らかなように、中継基板２９の後端および前端では中継基板２９上にコネクタ３１、３２がそれぞれ実装される。コネクタ３１は、フロントパネル２４の背面に実装されるコネクタ３３に接続される。コネクタ３２は、バックパネル２６の表面に実装されるコネクタ３４に接続される。こうしてフロントパネル２４およびバックパネル２６は中継基板２９で接続される。ＨＤＤ２２はバックパネル２６やメインバックパネル１７に接続される。その結果、例えばサーバブレードからメインバックパネル１７を介して電子機器１３に読み出し指令や書き込み指令が供給されると、バックパネル２６、中継基板２９およびフロントパネル２４を介して個々のＨＤＤ２２に書き込み指令や読み出し指令が振り分けられる。
【００１８】
制御ボードユニット２１、２１同士は相互に同一の形状に形成される。ここでは、制御ボードユニット２１、２１は上下逆さまに配置される。その結果、制御ボードユニット２１、２１は、天板１６ｂおよび底板１６ｃから等距離で水平面に平行に広がる仮想平面内でハウジング１６の前後方向に延びる中心線に対して線対称に配置される。中心線は側壁１６ａ、１６ａから等距離に規定される。したがって、上側の制御ボードユニット２１が下側の制御ボードユニット２１と入れ替えられても、それぞれの制御ボードユニット２１はハウジング１６内に同様に収容されることができる。それぞれの制御ボードユニット２１は同様に機能することができる。
【００１９】
各制御ボードユニット２１は、ハウジング１６の正面から背面まで延びる第１支持体４１を備える。第１支持体４１は天板１６ｂまたは底板１６ｃに受け止められる。第１支持体４１は、水平面に沿って広がる底板４１ａと、底板４１ａの前端および後端の間で底板４１ａの側端から直立する１対の側板４１ｂとを備える。底板４１ａや側板４１ｂは例えば板金といった金属板から形成される。第１支持体４１の後端には前述のイジェクタユニット２３が取り付けられる。側板４１ｂにはその外向き面から突き出る例えば１対の案内片すなわち案内ピン４２が形成される。案内ピン４２は例えば円柱形状に形成される。図５から明らかなように、案内ピン４２は水平面に平行な仮想平面４３内に軸心を規定する。底板４１ａは仮想平面４３に平行に規定される。
【００２０】
各制御ボードユニット２１は、第１支持体４１の前端に後端で連結される第２支持体４４を備える。第２支持体４４は、第１支持体４１と同様に、底板４４ａと、底板４４ａの前端および後端の間で底板４４ａの側縁から直立する１対の側板４４ｂとを備える。底板４４ａや側板４４ｂは例えば板金といった金属板から形成される。第１支持体４１との連結にあたって、第２支持体４４の側板４４ｂの内向き面から突き出る支軸４５が用いられる。図６を併せて参照し、支軸４５は、第１支持体４１の側板４１ｂに形成される貫通孔４６に受け入れられる。支軸４５の軸心は、仮想平面４３内で差し込み口１９に平行に規定される回転軸４７に一致する。回転軸４７は側壁１６ａに直交する。こうして第２支持体４４は回転軸４７回りに回転自在に第１支持体４１に連結される。案内ピン４２の軸心は回転軸４７に平行に規定される。
【００２１】
第２支持体４４は、回転軸４７回りで第１支持体４１に対して例えば０度より大きく１８０度以下の範囲の交差角αで交差することができる。交差角αは、例えば底板４１ａの表面を含む平面と底板４４ａの表面を含む平面との間で特定される。交差角αが１８０度に設定されると、図６に示されるように、第１支持体４１および第２支持体４４は同一平面内に配置される。こうして第１支持体４１および第２支持体４４は水平姿勢すなわち基準姿勢を確立する。交差角αが１８０度より小さく設定されると、第１支持体４１および第２支持体４４は傾斜姿勢を確立する。図４および図５に示されるように、制御ボードユニット２１が、ハウジング１６の収容空間内に収容される収容位置に配置されると、第２支持体４４は第１支持体４１に対して例えば３０度の交差角αで交差する傾斜姿勢を確立する。
【００２２】
第１支持体４１および第２支持体４４の間では、回転軸４７に平行な方向に規定される底板４１ａの幅は、同様に回転軸４７に平行な方向に規定される底板４４ａの幅に等しく設定される。底板４１ａから規定される側板４１ｂの高さは、同様に底板４４ａから規定される側板４４ｂの高さに一致する。前端から後端まで底板４１ａの長さは、同様に前端から後端までの底板４４ａの長さより大きく設定される。例えば底板４１ａの長さは底板４４ａの長さの２倍以上の大きさに設定される。第２支持板４４の側板４４ｂにはその外向き面から突き出る案内ピン４８が形成される。案内ピン４８は例えば円柱形状に形成される。案内ピン４８は、前述の案内ピン４２の軸心に平行な軸心を規定する。案内ピン４８は前述の案内ピン４２と同一のサイズに設定される。案内ピン４２と同様に、案内ピン４８の軸心は回転軸４７に平行に規定される。
【００２３】
図４および図６から明らかなように、第１支持体４１の底板４１ａ上には第１プリント基板５１が支持される。第１プリント基板５１は底板４１ａに固定される。同様に、第２支持体４４の底板４４ａ上には第２プリント基板５２が支持される。第２プリント基板５２は底板４４ａに固定される。第１プリント基板５１の表面や第２プリント基板５２の表面には例えばＲＡＩＤコントローラやＣＰＵ（中央演算処理装置）といった電子回路素子（図示されず）が実装される。こういった電子回路素子に基づき個々のＨＤＤ２２に書き込み指令や読み出し指令が振り分けられる。第１プリント基板５１および第２プリント基板５２は例えばフレキシブルプリント基板５３で相互に接続される。
【００２４】
第２支持体４４では、底板４４ａの前端から後端に向かって切れ込む切り欠き５４が形成される。切り欠き５４は例えば側板４４ｂ、４４ｂから等距離に設定される。底板４４ａ上の第２プリント基板５２には、切り欠き５４と同一の輪郭を規定する切り欠き５５が形成される。その一方で、第１プリント基板５１の前端にはコネクタ５６が実装される。コネクタ５６は、回転軸４７回りに規定される第２支持体４４の底板４４ａの後端の回転軌道より外側に配置される。その結果、コネクタ５６は第１支持体４１に対する第２支持体４４の相対回転を妨げない。コネクタ５６は、バックパネル２６の前面に実装されるコネクタ５７に接続される。こうして制御ボードユニット２１の第１および第２プリント基板５１、５２はバックパネル２６を介してＨＤＤ２２に接続される。
【００２５】
第１支持体４１の案内ピン４２および第２支持体４４の案内ピン４８は、各側壁１６ａの内向き面に固定される１対の案内レール５８内に配置される。各案内レール５８は、差し込み口１９に配置される後端から仮想平面４３に平行にハウジング１６の背面に向かって直線的に延びる１対の第１案内レール５９を区画する。第１案内レール５９の前端は第１支持体４１の前端よりも差し込み口１９側に配置される。同時に、第１案内レール５９の前端はフロントパネル２４およびバックパネル２６の間に配置される。制御ボードユニット２１が収容位置に配置されると、第１案内レール５９内に１対の案内ピン４２が配置される。第１支持体４１の側縁で案内ピン４２、４２同士は所定の間隔で相互に隔てられる。
【００２６】
案内レール５８は、第１案内レール５９の前端に下端で連結される１対の第２案内レール６１を区画する。第２案内レール６１は、差し込み口１９からハウジング１６の背面に向かうにつれて仮想平面４３から遠ざかりつつ上端まで延びる。ここでは、第２案内レール６１は、側壁１６ａに直交する中心軸回りに描かれる円弧に沿って規定される。中心軸は回転軸４７に平行に規定される。ここでは、円弧の中心角は９０度に設定される。差し込み口１９から第２案内レール６１の下端までの位置は各案内レール５８で等しく設定される。１対の第２案内レール６１、６１のサイズは等しく設定される。その結果、第２案内レール６１の上端の位置は差し込み口１９から等距離に規定される。
【００２７】
案内レール５８は、上側の第２案内レール６１の上端および下側の第２案内レールの上端に一端で連結される共通の第３案内レール６２を区画する。すなわち、第３案内レール６２は上側の第２案内レール６１の上端および下側の第２案内レール６１の上端を相互に接続する。第３案内レール６２は、仮想平面４３に直交する垂直方向に立ち上がる。制御ボードユニット２１が収容位置に配置されると、第３案内レール６２内に案内ピン４８が配置される。案内レール５８は、例えば相互に平行に延びる金属製や樹脂製の四角材や丸材から形成される。なお、案内ピン４２、４８および案内レール５８は本発明の駆動機構を構成する。
【００２８】
図７に示されるように、イジェクタユニット２３は、ＨＤＤ２２の後端および両側端を囲む枠体６３を備える。枠体６３はＨＤＤ２２の前端で開放される。ＨＤＤ２２の後端に沿って配置される枠体６３には仮想平面４３に直交する回転軸６４回りで回転自在に把手ブロック６５が連結される。把手ブロック６５は枠体６３の正面に沿って延びる。回転軸６４は例えば枠体６３の側端に隣接して配置される。把手ブロック６５が、枠体６３との連結を維持する連結位置に配置されると、把手ブロック６５は枠体６３の正面に沿って延びる。把手ブロック６５には、所定の基準間隔で相互に隔てられる１対の摘み６６ａ、６６ｂが連結される。摘み６６ａ、６６ｂは把手ブロック６５の正面から前方に突き出る。摘み６６ａ、６６ｂは、水平面に平行に規定される把手ブロック６５の正面に平行に相互に近づいたり遠ざかったりすることができる。
【００２９】
図８を併せて参照し、連結位置では摘み６６ａ、６６ｂは、枠体６３の前端から突き出る突片６７に係り合う。把手ブロック６５の回転は規制される。摘み６６ａ、６６ｂが基準間隔から相互に近づくと、摘み６６ａ、６６ｂと突片６７との係り合いは解除される。把手ブロック６５の回転は許容される。把手ブロック６５は開放位置に配置される。把手ブロック６５の背面には弾性部材すなわち板ばね６８が固定される。板ばね６８は屈曲に基づき把手ブロック６５の背面から突き出る。連結位置では、板ばね６８は枠体６３の正面に押し付けられる。板ばね６８には弾性力が蓄積される。摘み６６ａ、６６ｂと突片６７との係り合いが解除されると、板ばね６８の弾性力に基づき把手ブロック６５には回転軸６４回りで駆動力が付与される。
【００３０】
把手ブロック６５には回転軸６４に平行な平面で規定される第１押し当て面６９および第２押し当て面７１が規定される。第１および第２押し当て面６９、７１は所定の交差角で交差する。その一方で、ハウジング１６には、水平面から直立する角柱７２が区画される。図８から明らかなように、把手ブロック６５が回転軸６４回りに回転すると、第１押し当て面６９は角柱７２の角に押し当てられる。その結果、把手ブロック６５の回転に応じて記憶装置ユニット１８には水平面に沿って差し込み口１９から前方に駆動力が付与される。記憶装置ユニット１８は差し込み口１９から前方に僅かに引き出される。把手ブロック６５が回転軸６４回りにさらに回転すると、図９に示されるように、第２押し当て面７１が角柱７２の前面に押し当てられる。こうしてＨＤＤ２２のコネクタとコネクタ２５との接続は解除される。その後、例えば管理者は把手ブロック６５を握りつつ記憶装置ユニット１８を前方に引き出すことができる。
【００３１】
その一方で、記憶装置ユニット１８の装着にあたって、記憶装置ユニット１８の前端は差し込み口１９から差し込まれる。このとき、把手ブロック６５は開放位置に配置される。管理者は把手ブロック６５を握りつつ記憶装置ユニット１８を差し込んでいく。ＨＤＤ２２の大部分がハウジング１６内に差し込まれると、把手ブロック６５は開放位置から連結位置に向かって回転する。その結果、摘み６６ａ、６６ｂが突片６７に係り合うと同時に、ＨＤＤ２２のコネクタはフロントパネル２４のコネクタ２５と接続される。こうして記憶装置ユニット１８はハウジング１６の収容空間に収容される。なお、制御ボードユニット２１のイジェクタユニット２３では、枠体６３が第１支持体４１の後端に一体化されればよい。
【００３２】
いま、例えば下側の制御ボードユニット２１が電子機器１３から取り外される場面を想定する。イジェクタユニット２３の把手ブロック６５の第１押し当て面６９が角柱の角に押し当てられると、下側の制御ボードユニット２１は僅かに前方に引き出される。その結果、図１０に示されるように、制御ボードユニット２１のコネクタ５６とバックパネル２６のコネクタ５７との接続は解除される。このとき、案内ピン４２は第１案内レール５９に案内される。第１支持体４１は仮想平面４３に沿ってスライド移動する。回転軸４７は仮想平面４３内で差し込み口１９に向かって移動する。この回転軸４７の移動に応じて第２支持体４４の案内ピン４８は第３案内レール６２に沿って上方に上昇していく。案内ピン４８の上昇に伴って第２支持体４４は回転軸４７回りで回転していく。交差角αは増大していく。
【００３３】
第１支持体４１が仮想平面４３に沿って差し込み口１９から前方にさらに引き出されると、第２支持体４４は回転軸４７回りでさらに回転する。その結果、図１１に示されるように、第２支持体４４は仮想平面４３に直交する垂直姿勢を確立する。第３案内レール６２内で案内ピン４８は最大限に上昇する。９０度の交差角αが確立される。このとき、図２１に示されるように、第２支持体４４の切り欠き５４および第２プリント基板５２の切り欠き５５は中継基板２９を受け入れる。中継基板２９は第２支持体４４の回転を妨げない。その後、第１支持体４１のスライド移動に基づき案内ピン４８は第３案内レール６２内を下降していく。交差角αは９０度から増大していく。図１３に示されるように、案内ピン４８は第３案内レール６２から第２案内レール６１、第１案内レール５９に案内されていく。
【００３４】
図１４に示されるように、案内ピン４８が第１案内レール５９内に移動すると、第２支持体４４は底板１６ｃに受け止められる。第２支持体４４は水平面に沿って水平姿勢を確立する。第１支持体４１および第２支持体４４は仮想平面４３に平行に広がる。１８０度の交差角αが確立される。こうして第２支持体４４は最下段のＨＤＤ２２と底板１６ｃとの間に受け入れられる。第１支持体４１がさらに前方に引き出されると同時に第２支持体４４は差し込み口１９から前方に引き出される。その結果、下側の制御ボードユニット２１は電子機器１３から取り外される。制御ボードユニット２１の活性交換や修理が実施される。このとき、電子機器１３の動作の制御は上側の制御ボードユニット２１で実行されればよい。こうして電子機器１３は稼働し続けることができる。ラック１２から電子機器１３の取り外しといった事態は回避される。なお、上側の制御ボードユニット２１は下側の制御ボードユニット２１と同様に取り外されればよい。
【００３５】
次に、下側の制御ボードユニット２１が電子機器１３に取り付けられる場面を想定する。まず、第１支持体４１および第２支持体４４は１８０度の交差角αで維持される。第１支持体４１および第２支持体４４は水平姿勢を確立する。図１５に示されるように、第２支持体４４の前端は差し込み口１９からハウジング１６内に差し込まれる。案内ピン４８は第１案内レール５９に受け入れられる。第１案内レール５９の案内に基づき第２支持体４４はハウジング１６内に差し込まれていく。第１支持体４１の案内ピン４２は第１案内レール５９に受け入れられる。案内ピン４８が第２案内レール６１内に移動すると、図１６に示されるように、第２案内レール６１の案内に基づき第２支持体４４の前端が持ち上げられていく。第１支持体４１は底板１６ｃに平行に保持される。交差角αは１８０度から減少していく。
【００３６】
第１支持体４１がハウジング１６内に差し込まれていくにつれて、第２支持体４４は垂直姿勢に向かって立ち上がっていく。案内ピン４８は第２案内レール６１から第３案内レール６２内に移動する。回転軸４７が第３案内レール６２の真下に位置決めされると、第２支持体４４は垂直姿勢を確立する。９０度の交差角αが確立される。第２支持体４４の切り欠き５４は中継基板２９を受け入れる。図１７に示されるように、前述の取り外し時とは逆に、案内ピン４８は第３案内レール６２内を下降していく。交差角αは９０度から減少していく。イジェクタユニット２３の把手ブロック６５が枠体６３に連結されると同時に、第１支持体４１の前端のコネクタ５６はコネクタ５７に接続される。こうして制御ボードユニット２１は電子機器１３に取り付けられる。制御ボードユニット２１は動作の制御に復帰する。なお、上側の制御ボードユニット２１は下側の制御ボードユニット２１と同様に取り付けられればよい。
【００３７】
以上のようなサーバコンピュータ装置１１では、ラック１２の正面からメインバックパネル１７までの奥行きはサーバブレードやストレージブレードに一様に設定される。その結果、サーバブレードの奥行きやストレージブレードの奥行きは一様に設定される。その一方で、制御ボードユニット２１の奥行きは回路規模の違いに基づきＨＤＤ２２の奥行きに対して大きく異なる。制御ボードユニット２１にはできる限り多くの電子回路素子が搭載されることが望まれることから、制御ボードユニット２１はラック１２の奥行きにほぼ一致する。その結果、制御ボードユニット２１の奥行きはＨＤＤ２２の奥行きより著しく増大する。フロントパネル２４およびバックパネル２６の間にはデッドスペースが形成されてしまう。本発明では、フロントパネル２４およびバックパネル２６の間の収容空間に第２支持体４４すなわち第２プリント基板５２が収容される。第１支持体４１上の第１プリント基板５１に加えて第２プリント基板５２にも電子回路素子の搭載領域が確保される。デッドスペースは有効に利用される。
【００３８】
しかも、第２支持体４４の底板４４ａや第２プリント基板５２にはそれぞれ切り欠き５４や切り欠き５５が形成される。第２支持体４４が前述の収容空間に収容される際、切り欠き５４、５５は中継基板２９を受け入れる。その結果、第１支持体４１に対する第２支持体４４の相対回転は許容される。したがって、第２プリント基板５２にはできる限り大きな面積の搭載領域が確保される。加えて、制御ボードユニット２１の差し込み時、案内レール５８の働きで第２支持体４４は基準姿勢から傾斜姿勢へと容易に姿勢を変化させることができる。その結果、管理者は、差し込み口１９からハウジング１６の収容空間内に制御ボードユニット２１を差し込めば足りる。管理者は、電子機器１３の正面側から制御ボードユニット２１の取り付け作業や取り外し作業を簡単に実施することができる。取り付け作業や取り外し作業は簡略化される。例えば制御ボードユニット２１の活性交換や修理は簡単に実施される。
【００３９】
以上の実施形態に関し出願人はさらに以下の付記を開示する。
【００４０】
（付記１）  収容空間を区画するハウジングと、
前記ハウジングに対して所定の平面に平行に前記収容空間にスライド自在に差し込まれて、前記収容空間内に収容される第１支持体と、
前記平面内で前記ハウジングの正面に平行に規定される回転軸回りで回転自在に前記第１支持体に連結されて、前記第１支持体と同一平面内に配置される基準姿勢、および、前記第１支持体に所定の交差角で交差する傾斜姿勢の間で回転する第２支持体と、
前記収容空間への前記第１支持体の差し込みに基づき前記収容空間内で前記基準姿勢から前記傾斜姿勢に前記第２支持体の姿勢を変化させる駆動機構とを備えることを特徴とする電子機器。
【００４１】
（付記２）  付記１に記載の電子機器において、
前記第１支持体に支持される第１基板と、
前記第２支持体に支持される第２基板とを備えることを特徴とする電子機器。
【００４２】
（付記３）  付記１または２に記載の電子機器において、
前記駆動機構は、
前記回転軸に平行な軸心を規定しつつ前記第２支持体の側面から突き出る案内片と、
前記平面内で前記ハウジングの正面に配置される一端から前記収容空間内の前記第１支持体の前端より前記ハウジングの正面側に配置される他端まで延び、前記案内片の移動を案内する第１案内レールと、
前記収容空間内で前記第１案内レールの他端に一端で連結されて前記ハウジングの正面から背面に向かうにつれて前記平面から遠ざかりつつ他端まで延び、前記案内片の移動を案内する第２案内レールと、
前記収容空間内で前記第２案内レールの他端に一端で連結されて前記平面に直交する垂直方向に立ち上がり、前記案内片の移動を案内する第３案内レールとを備えることを特徴とする電子機器。
【００４３】
（付記４）  付記１〜３のいずれか１項に記載の電子機器において、前記収容空間内に配置されて前記ハウジングの背面に沿って広がり、前記第１支持体の前端を受け止めるバックパネルを備えることを特徴とする電子機器。
【００４４】
（付記５）  付記４に記載の電子機器において、
前記ハウジングの正面および背面の間で前記収容空間内に配置されて、前記バックパネルに平行に広がる補助パネルと、
前記ハウジングの正面から前記平面に平行に前記収容空間内にスライド自在に差し込まれて、前端で前記補助パネルに接続される記憶装置とを備えることを特徴とする電子機器。
【００４５】
（付記６）  付記５に記載の電子機器において、前記バックパネルと前記補助パネルとを接続する中継基板を備えることを特徴とする電子機器。
【００４６】
（付記７）  付記６に記載の電子機器において、前記第２支持体は前記バックパネルおよび前記補助パネルの間に配置されることを特徴とする電子機器。
【００４７】
（付記８）  付記７に記載の電子機器において、前記第１支持体に連結される前記第２支持体の一端とは反対側の前記第２支持体の他端から前記一端に向かって切れ込み、前記傾斜姿勢の確立にあたって前記中継基板を受け入れる切り欠きを備えることを特徴とする電子機器。
【００４８】
（付記９）  付記１〜８のいずれか１項に記載の電子機器において、前記ハウジングに区画されて前記平面に平行に広がり、前記第１支持体を受け止める底板を備えることを特徴とする電子機器。
【００４９】
（付記１０）  付記１〜８のいずれか１項に記載の電子機器において、前記ハウジングに区画されて前記平面に平行に広がり、前記第１支持体を受け止める天板を備えることを特徴とする電子機器。
【００５０】
（付記１１）  収容空間を区画するハウジングと、
前記ハウジングに対して所定の平面に平行に前記収容空間内にスライド自在に差し込まれて、前記収容空間内に収容される第１基板と、
前記平面内で前記ハウジングの正面に平行に規定される回転軸回りで回転自在に前記第１基板に連結されて、前記第１基板と同一平面内に配置される基準姿勢、および、前記第１基板に所定の交差角で交差する傾斜姿勢の間で回転する第２基板と、
前記収容空間への前記第１基板の差し込みに基づき前記収容空間内で前記基準姿勢から前記傾斜姿勢に前記第２基板の姿勢を変化させる駆動機構とを備えることを特徴とする電子機器。
【００５１】
（付記１２）  付記１１に記載の電子機器において、
前記第１基板を支持する第１支持体と、
前記第２基板を支持する第２支持体とを備えることを特徴とする電子機器。
【００５２】
（付記１３）  付記１２に記載の電子機器において、
前記駆動機構は、
前記回転軸に平行な軸心を規定しつつ前記第２支持体の側面から突き出る案内片と、
前記平面内で前記ハウジングの正面に配置される一端から前記収容空間内の前記第１支持体の前端より前記ハウジングの正面側に配置される他端まで延び、前記案内片の移動を案内する第１案内レールと、
前記収容空間内で前記第１案内レールの他端に一端で連結されて前記ハウジングの正面から背面に向かうにつれて前記平面から遠ざかりつつ他端まで延び、前記案内片の移動を案内する第２案内レールと、
前記収容空間内で前記第２案内レールの他端に一端で連結されて前記平面に直交する垂直方向に立ち上がり、前記案内片の移動を案内する第３案内レールとを備えることを特徴とする電子機器。
【００５３】
（付記１４）  付記１１〜１３のいずれか１項に記載の電子機器において、前記収容空間内に配置されて前記ハウジングの背面に沿って広がり、前記第１基板の前端を受け止めるバックパネルを備えることを特徴とする電子機器。
【００５４】
（付記１５）  付記１４に記載の電子機器において、
前記ハウジングの正面および背面の間で前記収容空間内に配置されて、前記バックパネルに平行に広がる補助パネルと、
前記ハウジングの正面から前記平面に平行に前記収容空間内にスライド自在に差し込まれて、前端で前記補助パネルに接続される記憶装置とを備えることを特徴とする電子機器。
【００５５】
（付記１６）  付記１５に記載の電子機器において、前記バックパネルと前記補助パネルとを接続する中継基板を備えることを特徴とする電子機器。
【００５６】
（付記１７）  付記１６に記載の電子機器において、前記第２基板は前記バックパネルおよび前記補助パネルの間に配置されることを特徴とする電子機器。
【００５７】
（付記１８）  付記１７に記載の電子機器において、前記第１基板に連結される前記第２基板の一端とは反対側の前記第２基板の他端から前記一端に向かって切れ込み、前記傾斜姿勢の確立にあたって前記中継基板を受け入れる切り欠きを備えることを特徴とする電子機器。
【００５８】
（付記１９）  付記１１〜１８のいずれか１項に記載の電子機器において、前記ハウジングに区画されて前記平面に平行に広がり、前記第１基板を受け止める底板を備えることを特徴とする電子機器。
【００５９】
（付記２０）  付記１１〜１８のいずれか１項に記載の電子機器において、前記ハウジングに区画されて前記平面に平行に広がり、前記第１基板を受け止める天板を備えることを特徴とする電子機器。
【符号の説明】
【００６０】
１３  電子機器、１６  ハウジング、１６ｂ  天板、１６ｃ  底板、２２  記憶装置（ハードディスク駆動装置）、２４  補助パネル（フロントパネル）、２６  バックパネル、２９  中継基板、４１  第１支持体、４３  平面（仮想平面）、４４  第２支持体、４７  回転軸、４８  案内片（案内ピン）、５１  第１基板（第１プリント基板）、５２  第２基板（第２プリント基板）、５４  切り欠き、５９  第１案内レール、６１  第２案内レール、６２  第３案内レール。
【図１】
2011081725.tif 000003
【図２】
2011081725.tif 000004
【図３】
2011081725.tif 000005
【図４】
2011081725.tif 000006
【図５】
2011081725.tif 000007
【図６】
2011081725.tif 000008
【図７】
2011081725.tif 000009
【図８】
2011081725.tif 000010
【図９】
2011081725.tif 000011
【図１０】
2011081725.tif 000012
【図１１】
2011081725.tif 000013
【図１２】
2011081725.tif 000014
【図１３】
2011081725.tif 000015
【図１４】
2011081725.tif 000016
【図１５】
2011081725.tif 000017
【図１６】
2011081725.tif 000018
【図１７】
2011081725.tif 000019